(57)【要約】【課題】ツリー状ネットワークにおいて、ラインターミネータ（ＬＴ）によるインラインエレメント（Ｅｉ）の中央制御を実施する方法を提供すること。【解決手段】複数のネットワークターミネータ（ＮＴ１、ＮＴ２、．．．、ＮＴｉ、．．．、ＮＴｎ）は、専用ブランチ及び共通ブランチによって、１つまたは複数のインラインエレメント（Ｅｉ）を介して、ラインターミネータ（ＬＴ）に結合される。本方法は、ラインターミネータ（ＬＴ）によって、選択エレメント（ＳＥＬ−Ｅ）の識別子に従う第１の複数ビット（Ａ）及びローカルで事前定義された機能（ＳＥＬ−Ｆ）の識別子に従う第２の複数ビット（Ｂ）を決定するステップと、第１の複数ビット（Ａ）および第２の複数ビット（Ｂ）をグラントメッセージ（Ｇ）に包含するステップと、該グラントメッセージ（Ｇ）をインラインエレメント（Ｅｉ）に転送するステップとを含む。【選択図】図１
2010259106.tif 000002
【特許請求の範囲】
【請求項１】
複数のネットワークターミネータ（ＮＴ１、ＮＴ２、．．．、ＮＴｉ，．．．、ＮＴｎ）と共にツリー状ネットワークに含まれているラインターミネータ（ＬＴ）によって、前記ツリー状ネットワークにおけるインラインエレメント（Ｅｉ）の中央制御を実施する方法であって、
前記複数のネットワークターミネータ（ＮＴ１、ＮＴ２、．．．、ＮＴｉ，．．．、ＮＴｎ）のうちの少なくとも１つのネットワークターミネータが、インラインエレメント（Ｅｉ）を介して、専用ブランチおよび共通ブランチによって、それぞれラインターミネータ（ＬＴ）に結合されている方法であり，
前記ラインターミネータ（ＬＴ）によって、選択エレメント（ＳＥＬ−Ｅ）の識別子に従って第１の複数ビット（Ａ）を決定し、かつローカルで事前定義された機能（ＳＥＬ−Ｆ）の識別子に従って第２の複数ビット（Ｂ）を決定するステップであって、前記選択エレメント（ＳＥＬ−Ｅ）は、前記ローカルで事前定義された機能（ＳＥＬ−Ｆ）を実行するために、少なくとも前記インラインエレメント（Ｅｉ）を含んでいるインラインエレメントの集合の中から選択される、ステップと、
前記ラインターミネータ（ＬＴ）によって、前記第１の複数ビット（Ａ）および前記第２の複数ビット（Ｂ）を、グラントメッセージ（Ｇ）に包含するステップと、
前記ラインターミネータ（ＬＴ）によって、前記第２の複数ビット（Ｂ）に従った前記ローカルで事前定義された機能（ＳＥＬ−Ｆ）の実行を、前記第１の複数のビット（Ａ）に従った前記選択エレメント（ＳＥＬ−Ｅ）に課するために、前記グラントメッセージ（Ｇ）を、前記インラインエレメント（Ｅｉ）に転送するステップと、を含んでいることを特徴とする方法。
【請求項２】
前記決定するステップが、ネットワークターミネータ識別子とブランチ識別子の任意の１つを、前記第１の複数ビット（Ａ）に包含するステップを含んでおり、
前記ネットワークターミネータ識別子が、前記複数のネットワークターミネータの１つを識別し、
前記ブランチ識別子が、前記ツリー状ネットワークの少なくとも一部分を識別することを特徴とする請求項１に記載のインラインエレメント（Ｅｉ）の中央制御を実施する方法。
【請求項３】
前記転送するステップが、
前記グラントメッセージを、下り信号（Ｄ（Ｇ））に包含するステップと、
前記ラインターミネータ（ＬＴ）によって、前記下り信号（Ｄ（Ｇ））を、前記複数のネットワークターミネータ（ＮＴ１、ＮＴ２、．．．、ＮＴｉ、．．．、ＮＴｎ）に、下り方向に分配するステップと、
前記ローカルで事前定義された機能（ＳＥＬ−Ｆ）の前記第２の複数ビット（Ｂ）に従った実行を、前記第１の複数ビット（Ａ）に従った前記選択エレメント（ＳＥＬ−Ｅ）に課するために、前記下り信号（Ｄ（Ｇ））の中から前記グラントメッセージ（Ｇ）を捕捉し、前記グラントメッセージ（Ｇ）を、前記インラインエレメント（Ｅｉ）に関連付けられた少なくとも１つのエレメントコントローラ（ＣＴＲＬ−Ｅ）に転送するステップと、を含んでいることを特徴とする請求項１または２に記載のインラインエレメントの中央制御を実施する方法。
【請求項４】
ツリー状ネットワークにおける複数のインラインエレメント（Ｅｉ）の中央制御を実施するラインターミネータ（ＬＴ）であって、
前記ツリー状ネットワークが、前記複数のインラインエレメント（Ｅｉ）を介して、専用ブランチおよび共通ブランチによって、それぞれ前記ラインターミネータ（ＬＴ）に結合された複数のネットワークターミネータ（ＮＴ１、ＮＴ２、．．．、ＮＴｉ、．．．、ＮＴｎ）を含むラインターミネータであり、
選択エレメント（ＳＥＬ−Ｅ）の識別子に従って第１の複数ビット（Ａ）を決定し、かつローカルで事前定義された機能（ＳＥＬ−Ｆ）の識別子に従って第２の複数ビット（Ｂ）を決定する決定手段（ＤＥＴ）であって、前記選択エレメント（ＳＥＬ−Ｅ）は、前記ローカルで事前定義された機能（ＳＥＬ−Ｆ）を実行するために、前記複数のインラインエレメント（Ｅｉ）の中から選択される、手段（ＤＥＴ）と、
前記第１の複数ビット（Ａ）および前記第２の複数ビット（Ｂ）を、グラントメッセージ（Ｇ）に包含するように、前記決定手段（ＤＥＴ）に結合された包含手段（ＩＮＣＬ）と、
前記ローカルで事前定義された機能（ＳＥＬ−Ｆ）の前記第２の複数ビット（Ｂ）に従った実行を、前記第１の複数ビット（Ａ）に従った前記選択エレメント（ＳＥＬ−Ｅ）に課するために、前記グラントメッセージ（Ｇ）を、前記選択エレメント（Ｅｉ）に転送するように、前記包含手段（ＩＮＣＬ）に結合された転送手段（ＦＯＲＷ）と、
を含んでいることを特徴とするラインターミネータ（ＬＴ）。
【請求項５】
前記転送手段（ＦＯＲＷ）が、前記下り信号（Ｄ（Ｇ））内の前記グラントメッセージ（Ｇ）をカプセル化し、下り信号（Ｄ（Ｇ））からの前記グラントメッセージ（Ｇ）の取込みを可能にするために、前記下り信号（Ｄ（Ｇ））を、前記複数のネットワークターミネータ（ＮＴ１、ＮＴ２、．．．、ＮＴｉ、．．．、ＮＴｎ）に分配する、カプセル化手段（ＥＮＣ）を含んでいることを特徴とする請求項４に記載のラインターミネータ（ＬＴ）。
【請求項６】
ラインターミネータ（ＬＴ）の中央制御の下で、ローカルで事前定義された機能の実行を、選択エレメント（ＳＥＬ−Ｅ）に課するために、ツリー状ネットワークにおけるインラインエレメント（Ｅｉ）の集合の中の前記選択エレメント（ＳＥＬ−Ｅ）に関連付けられた、エレメントコントローラ（ＣＴＲＬ−Ｅ）であって、
前記ラインターミネータ（ＬＴ）が、前記選択エレメント（ＳＥＬ−Ｅ）を含んでいる前記インラインエレメント（Ｅｉ）の集合を介して、共通ブランチおよび専用ブランチによって、それぞれ複数のネットワークターミネータ（ＮＴ１、ＮＴ２、．．．、ＮＴｉ、．．．、ＮＴｎ）に結合されているエレメントコントローラ（ＣＴＲＬ−Ｅ）であり、
前記エレメントコントローラ（ＣＴＲＬ−Ｅ）が、前記ラインターミネータ（ＬＴ）に下り方向で結合されており、前記ラインターミネータ（ＬＴ）によって伝送されたグラントメッセージ（Ｇ）を受け取るために、前記エレメントコントローラ（ＣＴＲＬ−Ｅ）の入力に結合された認識手段（ＲＥＣＯ）を含んでおり、
前記グラントメッセージ（Ｇ）が、前記選択エレメント（ＳＥＬ−Ｅ）の識別子に従って前記ラインターミネータ（ＬＴ）によって決定される第１の複数ビット（Ａ）と、前記選択エレメント（ＳＥＬ−Ｅ）のローカルで事前定義された機能（ＳＥＬ−Ｆ）の識別子に従って決定される第２の複数ビット（Ｂ）とを含んでおり、
前記認識手段（ＲＥＣＯ）が、前記ローカルで事前定義された機能（ＳＥＬ−Ｆ）の実行を、前記選択されたエレメント（Ｅｉ）に課するために、前記グラントメッセージ（Ｇ）における前記第１の複数ビット（Ａ）および前記第２の複数ビット（Ｂ）を認識し、その認識に際して、選択エレメント（Ｅｉ）に関する制御信号（ＣＴＲＬ（Ｅｉ（ＳＥＬ−Ｆ））を生成するために、含まれていることを特徴とするエレメントコントローラ（ＣＴＲＬ−Ｅ）。
【請求項７】
前記選択エレメント（ＳＥＬ−Ｅ）が、前記複数のネットワークターミネータの１つによって伝送される上り伝送信号を増幅する切替可能な増幅器であることを特徴とする請求項６に記載のエレメントコントローラ（ＣＴＲＬ−Ｅ）。
【請求項８】
前記選択エレメント（ＳＥＬ−Ｅ）が、上り伝送信号を受信するために、前記共通ブランチ内で、前記ラインターミネータ（ＬＴ）に結合されたバーストモード受信機（ＢＭＲＸ）であることを特徴とする請求項６に記載のエレメントコントローラ（ＣＴＲＬ−Ｅ）。
【請求項９】
請求項４または５に記載のラインターミネータ（ＬＴ）と、請求項６から８のいずれか一項に記載のエレメントコントローラ（ＣＴＲＬ−Ｅ）の任意の１つを含んでいるツリー状ネットワーク。
【発明の詳細な説明】
【技術分野】
【０００１】
本発明は、請求項１のプリアンブルに記載の中央制御を実施する方法、そのような方法を実現する請求項４のプリアンブルに記載のラインターミネータおよび請求項６のプリアンブルに記載のエレメントコントローラ、および請求項９のプリアンブルに記載のツリー状ネットワークに関する。
【背景技術】
【０００２】
そのようなツリー状ネットワークは、たとえば「Ａｒｒａｎｇｅｍｅｎｔ  ｆｏｒ  ａｍｐｌｉｆｙｉｎｇ  ａｎｄ  ｃｏｍｂｉｎｉｎｇ  ｏｐｔｉｃａｌ  ｓｉｇｎａｌｓ，ａｎｄ  ｍｅｔｈｏｄ  ｆｏｒ  ｕｐｓｔｒｅａｍ  ｔｒａｎｓｍｉｓｓｉｏｎ  ｒｅａｌｉｚｅｄ  ｔｈｅｒｅｗｉｔｈ」と題する１９９７年３月２６日に公開された公開番号ＥＰ０７６５０４５Ａ１の公開済み欧州特許出願から、当技術分野において既に知られている。それには、ツリー状光学ネットワークが記載されている。ツリー状ネットワークは、以下で「ネットワークターミネータ」と呼ぶ複数のネットワークユニットを、ラインターミネータに結合する、専用ブランチ（ｄｅｄｉｃａｔｅｄ  ｂｒａｎｃｈ）、コンバイナ構成（ｃｏｍｂｉｎｅｒ  ａｒｒａｎｇｅｍｅｎｔ）、および共通ブランチ（ｃｏｍｍｏｎ  ｂｒａｎｃｈ）の上り方向（アップストリーム）の縦続接続からなる。
【０００３】
いわゆる「グラント（ｇｒａｎｔ：許可）」は、１つまたは複数のネットワークターミネータが、グラントに含まれる識別子に従ってグラントに反応（ｒｅａｃｔ）し、および「上り情報信号」とも呼ばれる「上りバースト」を伝送することを可能にするために、ラインターミネータによって、異なるネットワークターミネータに分散される。
【０００４】
実際に、光学ラインターミネータは、パーミッション（ｐｅｒｍｉｓｓｉｏｎ）を送ることによって、光学ネットワークユニットから、各々の上り伝送を制御するということが、「Ｓｅｒｉｅｓ  Ｇ：Ｔｒａｎｓｍｉｓｓｉｏｎ  ｓｙｓｔｅｍｓ  ａｎｄ  ｍｅｄｉａ，Ｄｉｇｉｔａｌ  ｓｙｓｔｅｍｓ  ａｎｄ  Ｎｅｔｗｏｒｋｓ：Ｄｉｇｉｔａｌ  ｓｅｃｔｉｏｎｓ  ａｎｄ  ｄｉｇｉｔａｌ  ｌｉｎｅ  ｓｙｓｔｅｍｓ−Ｏｐｔｉｃａｌ  ｌｉｎｅ  ｓｙｓｔｅｍｓ  ｆｏｒ  ｌｏｃａｌ  ａｎｄ  ａｃｃｅｓｓ  ｎｅｔｗｏｒｋｓ：Ｂｒｏａｄｂａｎｄ  Ｏｐｔｉｃａｌ  Ａｃｃｅｓｓ  Ｓｙｓｔｅｍｓ  Ｂａｓｅｄ  Ｏｎ  Ｐａｓｓｉｖｅ  Ｏｐｔｉｃａｌ  Ｎｅｔｗｏｒｋｓ（ＰＯＮ）」（シリーズＧ：伝送システムと媒体、デジタルシステムとネットワーク：デジタルセクションとデジタルラインシステム―ローカルおよびアクセスネットワーク用光学ラインシステム：受動光学ネットワーク（ＰＯＮ）に基づく広帯域光学アクセスシステム）と題する１９９８年１０月のＧ．９８３．１勧告の定義の４文節６頁において、ＩＴＵ国際電気通信連合の電気通信標準化セクタにより記述されている。「パーミット（ｐｅｒｍｉｔ）」とも呼ばれるグラントは、光学ネットワークターミネータがそれ自体のグラントを受け取った場合における、光学ネットワークターミネータの上りセルを伝送するためのグラントである。さらに「８．３．５．３．５  Ｇｒａｎｔ」の文節の３６頁から３７頁に、異なるタイプのグラントが記述されている。
【０００５】
前述の明細書の記載によれば、第１欄の２３行目から３１行目までに、要求される予定パワーを支援するために、これらの知られているネットワークは、専用ブランチ内における光学増幅器を要求している。さらに、４９行目から５２行目までには、これらの専用ブランチには、光学スイッチも必要とされることが記述されている。本明細書の請求の範囲において用いられる「インラインエレメント（ｉｎ−ｌｉｎｅ  ｅｌｅｍｅｎｔ）」は、たとえば光増幅器または光スイッチのようなものである。実際には、これらのインラインエレメントは、ラインターミネータによって複数のネットワークターミネータに分配された下り情報信号の下り伝送経路、およびネットワークターミネータの１つによって伝送される上り情報信号の上り伝送経路に沿って含まれる。
【０００６】
これらのインラインエレメントは、事前定義された時点において、事前定義された機能を実施しなければならない。このように、たとえばそのような光増幅器と光スイッチの統合体である半導体光増幅器は、事前定義された時点において、スイッチオン／オフされることが必要であり、また別の事前定義された時点において、事前定義された利得に設定することが必要である。別のインラインエレメントは、共通ブランチにおいてラインターミネータに結合されるバーストモード受信機である。ツリー状ネットワークが、光学ツリー状ネットワークである場合、そのようなバーストモード受信機は、一般に、光ラインターミネータに含まれ、電気ラインターミネータに結合されることに留意されたい。バーストモード受信機は、事前定義された時点において、ネットワークターミネータからのある特定のアクティビティを検出しなければならず、また、別の事前定義された時点において、異なるネットワークターミネータに関して、自動利得制御を実施することが必要である。
【０００７】
既に引用済みの明細書には、ラインターミネータにより光スイッチを制御することが可能な方法、すなわち、ラインターミネータによってネットワークターミネータに下り方向に伝送される下りグラント情報を捕捉することによって、オン／オフ命令が実現されることが、記述されている。前述の勧告に記載されているように、ネットワークターミネータ識別子を含むこのグラント情報は、特定の光スイッチに関して事前定義された時間間隔中に、すなわちネットワークターミネータの正常作動モード期間中に、上り情報信号が存在するかまたは存在しないかどうかを決定するために用いられるが、そのような方法は、たとえばネットワークターミネータおよび他のネットワークエレメントの準備期間中、全てのインラインエレメントの全体制御を実施するには充分でない。
【０００８】
これらのインラインエレメントにより、事前定義された時点において、必要とされる機能性を実施するためには、異なる方法が考えられる。実際に、考えられる方法は、たとえば、ラインターミネータとインラインエレメントの間の制御信号の伝送を用いて、ラインターミネータによって中央制御を実施することである。ただし、分離している率が高く、多くの異なるインラインエレメントを有するネットワーク内では、そのような解決方法には、多くの追加制御信号と余剰負荷が必要なはずである。
【発明の概要】
【発明が解決しようとする課題】
【０００９】
本発明の目的は、インラインエレメントの全体的な中央制御を実施するが、余分な制御信号を使用することなしに、効率的な負荷の方法に従って機能する、前述の知られているタイプの中央制御を実施する方法を提供することにある。
【課題を解決するための手段】
【００１０】
本発明によれば、この目的は、請求項１に記載の中央制御を実施する方法それぞれ請求項４および請求項６に記載のそのような方法を実現するラインターミネータおよびエレメントコントローラ、および請求項９に記載のそのようなラインターミネータおよびそのようなエレメントコントローラを含むツリー状ネットワークによって達成される。
【００１１】
実際に、本発明は、グラントメッセージにおいて、選択エレメントの識別子に従って第１の複数ビットを、かつローカルで事前定義された機能の識別子に従って第２の複数ビットを定義することによって、ローカルで事前定義された機能を実行するために、選択エレメントがインラインエレメントの中から選択されるという見識に基づく。このようにして、ラインターミネータは、余分な追加制御信号を使用することなしに、インラインエレメントの中央制御実施を可能にした。選択エレメントの識別子とローカルで事前定義された機能を指示する少数の余分なビットの組合わせを、グラントメッセージに包含することが、ネットワークターミネータの正常作動モード期間中だけでなく、例えば、様々なネットワークエレメントの準備段階、様々なネットワークエレメントの初期化、検査手順、および、利得設定手順のような他の種類の作動モード期間中に、ネットワークターミネータばかりでなくインラインエレメントをも含む全体的な制御の実施に十分である。グラントメッセージを、ネットワーク内の様々なネットワークターミネータへ分配することにより、グラントメッセージは、インラインエレメントにも転送され、これによって、インラインエレメントは、識別子を認識するか否かが可能になる。インラインエレメントが、その識別子を認識する場合には、当該インラインエレメントが選択エレメントであり、ローカルで事前定義された機能の１つが、複数の第２ビットに従って識別され、このようにして、前記機能の１つを実行することが、ラインターミネータによって、選択エレメントに課せられることを意味する。
【００１２】
「ローカルで」という表現は、第２の複数ビットがローカルで意味をもつことを、意味することに留意されたい。これは、たとえば第１の事前定義された値のような事前定義された値をもつ第２の複数ビットが、異なるインラインエレメントに関して異なる意味をもつことを意味する。たとえば、半導体光増幅器がその識別子を認識する場合には、前記半導体光増幅器は、「事前定義されたデフォルト利得でスイッチオンすること」によって、第１の事前定義された値をもつ第２の複数ビットに反応する。他方において、バーストモード受信機がその識別を認識する場合には、前記バーストモード受信機は、「アクティビティ検出を開始すること」によって、同じ第１の事前定義された値をもつ第２の複数のビットに反応する。
【００１３】
さらに、第１の複数ビットが選択エレメントを識別し、第２の複数ビットがローカルで事前定義された機能を識別するにもかかわらず、本発明は、そのようなシーケンスに限定されることなく、第１の複数ビットと第２の複数ビットの意味が互換可能であることに留意されたい。
【００１４】
さらに、第１の複数ビットは、「ネットワークターミネータ識別子」または「ブランチ識別子」を含むことができることに留意されたい。これは、請求項２に記載されている。実際には、ネットワークターミネータの他に、このネットワークターミネータのブランチのインラインエレメントを、アドレス指定するために、第１の複数ビット内に、たとえばネットワークターミネータの識別子を含むことは可能である。第２の複数ビットの値との組合わせにおいて、アドレス指定されたインラインエレメントすなわち選択エレメントは、どのような種類の機能が実行されことが予測されるかを知っている。他方において、ブランチの１つまたは複数のインラインエレメントをアドレス指定するために、たとえば、インラインエレメントのブランチの識別子を、第１の複数ビット内に含むことも可能である。そのような類の実施態様の場合には、ネットワークターミネータの識別子も同様に含むことは必要でない。グラント手順の動作に従って、特定のネットワークターミネータは、それ自体の識別子が含まれている場合のグラントメッセージのみに反応するので、ネットワークターミネータ識別子の代わりにブランチ識別子を包含することは、これらのグラント手順の動作を妨げない。さらに、ネットワークターミネータ識別子を用いた実施態様またはブランチ識別子を用いた実施態様が、異なる数の第１の複数ビット、たとえば第１の事前定義されたビット数または第２の事前定義されたビット数を必要とすることがあり得るが、両方の実施態様は、共に、同じラインターミネータによって実施される同じ中央制御によって実現可能であることに留意されたい。実際には、第２の複数ビットの１つまたは複数の事前定義されたビットに、これらのビットの値に基づいて、ローカルで事前定義された機能、たとえば「第１の複数ビットを解釈するために第１の事前定義された数のビットを検査する」機能か、または「第１の複数ビットを解釈するために第２の事前定義された数のビットを検査する」機能を割り当てることで充分である。このように、様々なネットワークエレメント、すなわちネットワークターミネータおよびインラインエレメントは、先ず、第２の複数ビットのこれらのビットを検査し、その後で、たとえば、第１の事前定義されたビット数をもつ第１の複数ビットを解釈するか、または第２の事前定義されたビット数をもつ第１の複数ビットを解釈するか、またはたとえば、全く何もしないことを決定する。
【００１５】
既に上述したように、グラントメッセージを様々なインラインエレメントに転送するステップは、様々な方法で実行可能である。
【００１６】
考えられる方法は、グラントメッセージを、そのようなインラインエレメントと関連したエレメントコントローラに転送するために、ラインターミネータによって、下り信号にグラントメッセージを含ませる。その際、下り信号を複数のネットワークターミネータへ下り方向に分配し、下り信号からグラントメッセージを捕捉する。エレメントコントローラは、グラントメッセージを解釈し、第１の複数ビットおよび第２の複数ビットに基づいて、ローカルで事前定義された機能を選択エレメントへ課する。これは、請求項５のラインターミネータおよび請求項６のエレメントコントローラによって実現される請求項３の方法に記載されている。これは、光学ツリー状ネットワークについての次の例によって明瞭になるはずである。下りグラント情報の捕捉は、一般に光学ツリー状ネットワーク内で、オペレーションおよびメンテナンス機能のために、ネットワークターミネータにより実現される。オペレーションおよびメンテナンス機能用のそのようなネットワークターミネータは、光学タップによって、ラインターミネータへ下り方向で結合される。下り信号の予定パワーの小さい部分は、オペレーションおよびメンテナンス用ネットワークターミネータへ進路を転じられる。オペレーションおよびメンテナンス機能用ネットワークターミネータは、下り信号からグラントメッセージを抽出し、それをインラインエレメントコントローラに転送する。そのようなインラインエレメントコントローラは、ラインターミネータによって課されたグラントメッセージに従ってインラインエレメントを制御するために、１つまたは複数のインラインエレメントに関連付けられる。そのようなエレメントコントローラは、分散された方法または集中された方法に従って、実行可能であることは明白である。この方法では、インラインエレメントは、それ自体のエレメントコントローラを含むことができる。他方、エレメントコントローラは、複数のネットワークエレメントと関連することが可能であり、スタンドアロン装置であっても差し支えない。
【００１７】
グラントメッセージをインラインエレメントに転送する他の方法は、グラントメッセージをインラインエレメントに直接伝送することである。これは、たとえば、電気ラインターミネータからグラントメッセージを直接受け取る光学ネットワークのバーストモード受信機用に実現される。
【００１８】
既に上述したように、そのようなインラインエレメントの考えられる実施態様は、ネットワークターミネータの１つによって伝送された上り伝送信号を増幅する切替可能な増幅器である。そのような切替可能な増幅器に関連付けられたエレメントコントローラは、請求項７に記載されている。
【００１９】
他の考えられるインラインエレメントは、光学ネットワークにおけるバーストモード受信機である。バーストモード受信機と関連したエレメントコントローラは、請求項８に記載されている。そのようなバーストモード受信機は、一般に、その関連したエレメントコントローラを含む。
【００２０】
ツリー状ネットワークを示す添付の図面と共に採られる実施形態についての説明を読めば、本発明の上記その他の目的および特徴はより明らかになり、また本発明自体が最もよく理解できよう。
【図面の簡単な説明】
【００２１】
【図１】ツリー状ネットワークを示す図である。
【発明を実施するための形態】
【００２２】
図を参照すると、この特定の実施形態に対しては、ツリー状光学ネットワークについて説明することが好ましい。光学ネットワークは、電気ラインターミネータＥＬＴおよび複数のネットワークターミネータＮＴ１、ＮＴ２、．．．、ＮＴｉ、．．．、ＮＴｎを含む。電気ラインターミネータＥＬＴは、共通ブランチおよび専用ブランチを介して、複数のネットワークターミネータＮＴ１、ＮＴ２、．．．、ＮＴｉ、．．、ＮＴｎに結合される。
【００２３】
共通ブランチおよび専用ブランチは、インラインエレメントを含んでいる。このように、この特定実施形態の共通ブランチは、たとえばフィーダ／リピータＦＲおよびバーストモード受信機ＢＭＲＸのようなインラインエレメントを含み、専用ブランチの各々も同様に、たとえばネットワークターミネータＮＴｉからの上り方向のブランチに含まれるＥｉのようないくつかのインラインエレメントを含む。図に描き込み過ぎないために、以後の説明に用いる予定のインラインエレメントＥｉのみを提示し、Ｅｉインラインエレメントと同様な他のインラインエレメントは、図示するが名称は記入しないこととする。
【００２４】
バーストモード受信機ＢＭＲＸおよび電気ラインターミネータＥＬＴは、光学ラインターミネータＯＬＴに含まれ、電気リンクにより結合される。さらに、光学ラインターミネータＯＬＴは、送信機ＴＲＸを含む。
【００２５】
電気ラインターミネータＥＬＴから電気信号を下り方向に伝送する場合には、伝送される前に、先ず電気信号が、光信号に変換され、伝送後に、ネットワークターミネータにおいて、光信号が、再び電気信号に変換されることに留意されたい。ただし、これは本発明の目的を超えるので、ここでは詳細には説明しない。
【００２６】
電気ラインターミネータＥＬＴは、決定装置（ｄｅｔｅｒｍｉｎｅｒ）ＤＥＴ、包含手段（ｉｎｃｌｕｄｉｎｇ  ｍｅａｎｓ）ＩＮＣＬ、および転送装置（ｆｏｒｗａｒｄｅｒ）ＦＯＲＷを含む。決定装置ＤＥＴは包含手段ＩＮＣＬに結合され、包含手段ＩＮＣＬは転送装置ＦＯＲＷに結合される。転送装置ＦＯＲＷは、エンカプセル装置（ｅｎｃａｐｓｕｌａｔｏｒ）ＥＮＣを含む。エンカプセル装置ＥＮＣは、包含手段ＩＮＣＬおよび送信機ＴＲＸに結合される。送信機ＴＲＸは、光学ラインターミネータＯＬＴの出力に結合される。この光学ラインターミネータの出力は、共通ブランチの下り伝送リンクに結合される。転送装置ＦＯＲＷは、別の出力を介して、さらにバーストモード受信機ＢＭＲＸに結合される。
【００２７】
電気ラインターミネータは、ネットワークターミネータＮＴ１、ＮＴ２、．．．、ＮＴｉ、．．．、ＮＴｎだけでなく、たとえばインラインエレメントＥｉのようなインラインエレメント、フィーダリピータＦＲ、およびバーストモード受信機ＢＭＲＸの中央制御も実施する。これは、事前定義された所定の時点において、特定のネットワークエレメントが、電気ラインターミネータＥＬＴの中央制御の下で、特定の機能を実行しなければならないことを意味する。この中央制御を実現するために、第１の複数ビットＡのおよび第２の複数ビットＢを含むグラントメッセージＧが定義される。第１の複数ビットは、特定の機能を実行する特定のエレメントを決定し、第２の複数ビットは、該ネットワークエレメントによって実行されなければならない機能のタイプを決定する。このように「選択エレメントＳＥＬ−Ｅ」と呼ばれる選択インラインエレメントは、ローカルで事前定義された特定の機能ＳＥＬ−Ｆを実行しなければならない。
【００２８】
決定手段ＤＥＴは、選択エレメントＳＥＬ−Ｅの識別子に基づいて第１の複数ビットＡを決定し、ローカルで事前定義された機能ＳＥＬ−Ｆの識別子に基づいて第２の複数ビットＢを決定する。たとえば（ａ１、ａ２、ａ３、ａ４、ａ５、ａ６、ａ７、ａ８、ａ９、ａ１０）の第１の複数ビットＡは、選択エレメントの識別子に応じて変化可能であるビットの数を含み、たとえば（ｂ６、ｂ５、ｂ４、ｂ３、ｂ２、ｂ１）の第２の複数ビットＢの数は、実行されるべき機能の種類に応じて変化可能である。ただし、この特定実施形態に従って、第１の複数ビットＡに第２の複数ビットＢを加えたトータルのビット数は一定である。したがって、第１の複数ビットが事前定義されたビット数を含むという情報は、第２の複数ビットの１つまたは複数の事前定義されたビットの値に含まれる。すなわち、ラインターミネータによって用いられる識別子の種類の決定は、第２の複数ビットＢに含まれる。
【００２９】
この特定の実施形態によれば、ビットｂ１およびｂ２の値は、
−  第１の複数ビットＡが、たとえば（ａ１、ａ２、ａ３、ａ４、ａ５、ａ６、ａ７、ａ８、ａ９、ａ１０）の１０ビットをカウントし、それによってネットワーク端末識別子を識別し、かつ、それによって第２の複数ビットＢが、たとえば（ｂ６、ｂ５、ｂ４、ｂ３、ｂ２、ｂ１）の６ビットをカウントするか、または、
−  第１の複数ビットＡが、たとえば（ａ１、ａ２、ａ３、ａ４、ａ５、ａ６、ａ７）の７ビットだけをカウントし、それによって、ブランチ識別子を識別し、かつ、それによって、第２の複数ビットＢが、たとえば（ｂ９、ｂ８、ｂ７、ｂ６、ｂ５、ｂ４、ｂ３、ｂ２、ｂ１）の９ビットをカウントするか、
を決定している。
【００３０】
包含手段ＩＮＣＬは、第１の複数ビットＡおよび第２の複数ビットＢを、グラントメッセージＧ内に包含する。このグラントメッセージＧは、転送装置ＦＯＲＷに供給される。第２の複数ビットに従ったローカルで事前定義された機能ＳＥＬ−Ｆの実行を、第１の複数ビットに従った選択エレメントＳＥＬ−Ｅに課するために、転送装置ＦＯＲＷは、グラントメッセージをインラインエレメントに転送する。転送装置ＦＲＯＷは、これを２つの異なる方法で実現する。インラインエレメントの１つは、同様に、電気ラインターミネータＥＬＴに加えて光学ラインターミネータＯＬＴにも含まれるバーストモード受信機ＢＭＲＸであるので、グラントメッセージＧを含む電気信号は、バーストモード受信機ＢＭＲＸに直接送られる。さらに、ツリー状ネットワーク内の分散した場所に位置するインラインエレメントに到達するために、グラントメッセージＧは、下り信号Ｄ（Ｇ）において、エンカプセル装置ＥＮＣによってカプセル化される。この下り信号は、送信機ＴＲＸに転送され、この送信機は、次に、下り信号Ｄ（Ｇ）を、異なるネットワークターミネータＮＴ１、ＮＴ２、．．．、ＮＴｉ、．．．、ＮＴｎに向けて分散させる。次に、ローカルで事前定義された機能が、ネットワーク内に位置するインラインエレメントの１つに、どのようにして課されるかについて説明することとする。
【００３１】
この特定の実施形態の場合、インラインエレメントＥｉは、半導体光増幅器である。既に述べたように、インラインエレメントＥｉは、事前定義された機能を実施しなければならない。したがって、専用ブランチ上を伝送される信号が皆無である場合に、増幅されたノイズの自然放出を防ぐためには、半導体光増幅器は、事前定義された所定の時点において、スイッチオンまたはスイッチオフされなければならない。さらに、専用ネットワークターミネータＮＴｉによって、現在伝送されている信号を増幅するために、半導体光増幅器は、他の事前定義された時点において、事前定義された利得を設定しなければならない。
【００３２】
共通ブランチと専用ブランチは、部分的に双方向であり、かつ、下り伝送方向と上り伝送方向に部分的に分離されていることにも留意されたい。両ブランチが双方向性であるかまたは片方向性である伝送ラインの正確な場所について述べることは、本発明の目的を越える。したがって、これについては、これ以上詳細に述べないこととする。本目的は、ツリー状ネットワークがインラインエレメントを含むことである。
【００３３】
インラインエレメントＥｉは、ツリー状ネットワークの「増幅器／スプリッタＡＳ」に含まれる。この増幅器／スプリッタＡＳは、電気ラインターミネータＥＬＴと複数のネットワークターミネータＮＴ１、ＮＴ２、．．．、ＮＴｉ、．．．、ＮＴｎの各々１つとの間に結合される。増幅器／スプリッタＡＳは、下り伝送方向の分離点、および、ツリー状ネットワークの上り伝送方向の結合点を含む。さらに、増幅器／スプリッタＡＳは、エレメントコントローラＣＴＲＬ−Ｅ、およびオペレーションおよびメンテナンスネットワークターミネータＯＡＭ−ＮＴを含む。オペレーションおよびメンテナンスネットワークターミネータＯＡＭ−ＮＴは、共通ブランチおよび下り方向の分離点の前に位置する光学タップ（図示せず）を介して、電気ラインターミネータＥＬＴに、下り方向で結合される。さらに、エレメントコントローラＣＴＲＬ−Ｅは、たとえばＥｉのような専用ブランチの幾つかのインラインエレメントに結合される。
【００３４】
エレメントコントローラＣＴＲＬ−Ｅは、認識装置ＲＥＣＯを含む。認識装置ＲＥＣＯは、エレメントコントローラＣＴＲＬＥ−Ｅの入力、すなわち光学タップに、下り方向で結合される。認識装置ＲＥＣＯは、さらに、異なるインラインエレメントに結合される。
【００３５】
エレメントコントローラＣＴＲＬ−Ｅは、増幅器／スプリッタＡＳに含まれる様々なインラインエレメントを制御するために含まれる。それ自体のエレメントコントローラを有する各インラインエレメントの代わりに、増幅器／スプリッタＡＳに１つの中央集中型エレメントコントローラＣＴＲＬ−Ｅを含むことが好ましい。これは、たとえばＥｉのような特定のインラインエレメントのローカルで事前定義された機能が、電気ラインターミネータＥＬＴの中央制御の下で、インラインエレメントによって実行されなければならない場合に、この実行が、エレメントコントローラＣＴＲＬ−Ｅによって、特定のインラインエレメントＥｉに転送されることを意味する。オペレーションおよびメンテナンスネットワークターミネータＯＡＭ−ＮＴは、電気ラインターミネータＥＬＴによってネットワークへ伝送された下り信号Ｄ（Ｇ）を捕捉し、下り信号Ｄ（Ｇ）からグラントメッセージＧを抽出し、このグラントメッセージＧを認識装置ＲＥＣＯに転送する。認識装置ＲＥＣＯは、グラントメッセージＧを解釈する。第１の複数ビットＡにおいて、関連インラインエレメントの１つが反応する必要がある、ネットワークターミネータ識別の識別子またはブランチ識別の識別子が含まれる場合には、認識装置ＲＥＣＯは、制御信号ＣＴＲＬ（Ｅｉ（ＳＥＬ−Ｆ））を生成し、この制御信号ＣＴＲＬ（Ｅｉ（ＳＥＬ−Ｆ））を該関連インラインエレメント、すなわち選択インラインエレメント、たとえばＥｉに転送する。さらに、制御信号ＣＴＲＬ（Ｅｉ（ＳＥＬ−Ｆ））は、第２の複数ビットＢの解釈に従ったローカルで事前定義された機能ＳＥＬ−Ｆの識別子を含む。このようにして、選択機能ＳＥＬ−Ｆは、エレメントコントローラＣＴＲＬ−Ｅによって、インラインエレメントＥｉに、電気ラインターミネータＥＬＴの中央制御のインパルスの下で、制御信号ＣＴＲＬ（Ｅｉ（ＳＥＬ−Ｆ））により課される。
【００３６】
さてここで、事前定義された期間中における中央制御システムの実際の動作を示す一例により、本発明の動作方法について述べることとする。
【００３７】
中央制御システムに従って、ネットワークターミネータＮＴｉの専用ブランチのアクティビティ検出を実施しなければならない状況にあるものと仮定する。これは、次に示す事象を意味する。
−  ネットワークターミネータＮＴｉは、事前定義された時点において「ＰＬＯＡＭセル」と呼ばれる事前定義された物理層のオペレーションおよびメンテナンスセルを、電気ラインターミネータＥＬＴへ伝送しなければならない。
−  インラインエレメント、すなわちこの専用ブランチの半導体光増幅器、すなわちＥｉは、伝送されたＰＬＯＡＭセルが、該半導体光増幅器を通過する際に、最大利得状態で、スイッチオンしなければならない（すなわちインラインエレメントＥｉのローカルで事前定義された機能）。
−  バーストモード受信機ＢＭＲＸは、ＰＬＯＡＭセルが、光学ラインターミネータＯＬＴに到着する時までに、デフォルト利得状態でアクティビティ検出を始めなければならない（すなわちバーストモード受信機ＢＭＲＸのローカルで事前定義された機能）。
【００３８】
異なるネットワークエレメントによって、これらの様々な機能を実施するために、グラントメッセージＧが生成される。この例によれば、手順のこの段階において、ネットワークターミネータ識別子は、電気ラインターミネータＥＬＴによって、まだ割り当てられていないので、ネットワークターミネータＮＴｉの専用ブランチのブランチ識別子が、第１の複数ビットＡを決定するために用いられる。したがって、決定装置ＤＥＴは、「第１の複数ビットを解釈するために第１の複数ビットに対して７ビットだけを監視する」という機能に関連付けられた事前決定された値に従って、ビットｂ１およびｂ２に対する値を決定する。実際は、このブランチ識別子は、ブランチのインラインエレメントＥｉ及びバーストモード受信機に対する識別子と同様に、ネットワークターミネータＮＴｉに対する識別子と見なすことができる。決定装置ＤＥＴが、Ａ（ａ１、ａ２、ａ３、ａ４、ａ５、ａ７）に等しい第１の複数ビットを決定するものと仮定する。たとえば、ＳＥＬ−Ｆのようなローカルで事前定義された機能の識別子に従って、第２の複数ビットＢが決定される。決定装置ＤＥＴが、Ｂ（ｂ９、ｂ８、ｂ７、ｂ６、ｂ５、ｂ４、ｂ３、ｂ２、ｂ１）に等しい第２の複数ビットを決定するものと仮定する。これは、第２の複数ビットＢ（ｂ９、ｂ８、ｂ７、ｂ６、ｂ５、ｂ４、ｂ３、ｂ２、ｂ１）が、ネットワークターミネータＮＴｉに関してはその「ＰＬＯＡＭセル伝送」機能を実行し、インラインエレメントＥｉに関してはその「最大利得でのスイッチオン」機能を実行し、バーストモード受信機ＢＭＲＸに関してはその「デフォルト利得でのアクティビティ検出開始」機能を実行するために、ローカルな意味をもつことを意味する。
【００３９】
第１の複数ビットＡおよび第２の複数ビットＢは、包含手段ＩＮＣＬに提供され、グラントメッセージＧに含まれる。グラントメッセージは、転送装置ＦＯＲＷに提供される。転送装置ＦＯＲＷは、電気信号によってグラントメッセージをバーストモード受信機ＢＭＲＸに転送し、さらにまた、エンカプセル装置ＥＮＣは、グラントメッセージＧを下り信号Ｄ（Ｇ）においてカプセル化する。グラントメッセージＧは、メモリに一時的に記憶され、結果として、このメモリからそれを読み出すことによって、それを２度使用可能であるが、これは本発明の目的を越えることを理解されたい。本目的は、グラントメッセージがバーストモード受信機ＢＭＲＸと同様にエンカプセル装置ＥＮＣにも転送されることである。エンカプセル装置ＥＮＣは、下り信号を、下り信号Ｄ（Ｇ）をツリー状ネットワークに転送する送信機ＴＲＸに供給する。
【００４０】
電気信号の受信に際して、バーストモード受信機ＢＭＲＸは、その「アクティビティ検出開始」機能を実行しなければならないという事実に気づいている。バーストモード受信機ＢＭＲＸは、そのようなモード、すなわち信号を受け取る準備が整った状態にある。
【００４１】
他方、オペレーションおよびメンテナンスネットワークターミネータＯＡＭ−ＮＴは、タップを介して、下り信号Ｄ（Ｇ）を受け取る。グラントメッセージが、下り信号から抽出され、抽出されたグラントメッセージＧは、ビットｂ１およびｂ２を解釈する認識装置ＲＥＣＯに供給される。これらビットの値に従って、認識装置ＲＥＣＯは、グラントメッセージＧの最初の７ビットだけを監視しなければならないことを知り、その結果、第１の複数ビットＡ（ａ１、ａ２、ａ３、ａ４、ａ５、ａ７）を解釈する。認識装置ＲＥＣＯは、インラインエレメントＥｉのブランチ識別子を認識し、このインラインエレメントＥｉ用の制御信号を生成する。第２の複数ビットＢ（ｂ９、ｂ８、ｂ７、ｂ６、ｂ５、ｂ４、ｂ３、ｂ２、ｂ１）の解釈に従って、認識装置ＲＥＣＯは、インラインエレメントＥｉに「事前定義された時点において、最大利得状態でスイッチオンする」機能を課する。したがって、この機能に対する識別子は、制御信号ＣＴＲＬ（Ｅｉ（ＳＥＬ−Ｆ））に含まれる。この制御信号の受け取りに際して、事前定義された時点において、事前定義された最大利得状態で、インラインエレメントＥｉがスイッチオンする。
【００４２】
一方において、ネットワークターミネータＮＴｉも、下り信号Ｄ（Ｇ）を受け取り、その識別子すなわちブランチ識別子を認識し、第２の複数ビットの解釈に従って「所定遅延時間の後で、ＰＬＯＡＭセルを伝送する」機能を実行しなければならないことを知る。この事前決定された遅延の後で、ネットワークターミネータＮＴｉは、要求されたＰＬＯＡＭセルを伝送する。
【００４３】
ＰＬＯＡＭセルが、増幅器／スプリッタＡＳを通過する際に、インラインエレメントＥｉは、最大利得でスイッチオンされ、ＰＬＯＡＭセルは、最大利得で増幅され、その後、光学ラインターミネータＯＬＴに向かって伝送される。
【００４４】
バーストモード受信機ＢＭＲＸは、ＰＬＯＡＭセルを受け取る準備が整い、その後の処理のために、ＰＬＯＡＭセルを電気ラインターミネータＥＬＴに転送する。
【００４５】
このようにして、実際に、様々な機能は、様々なネットワークエレメントによって、すなわちネットワークターミネータばかりでなく様々なインラインエレメントによって、電気ラインターミネータＥＬＴの中央制御の下で実行される。
【００４６】
請求の範囲および詳細な実施形態において用いられる「含む」という用語は、その後に列挙される手段に限定されると解釈されてはならないことに注意されたい。したがって、「手段ＡおよびＢを含む装置」という表現の適用範囲は、構成要素ＡおよびＢのみからなる装置に限定されてはならない。前記表現は、本発明に関して装置の関連する構成要素に限定すれば、ＡおよびＢであることを意味する。
【００４７】
同様に、請求の範囲および詳細な実施形態において用いられる「結合した」という用語も、直接的な接続にのみ制限されると解釈されてはならない。したがって、「装置Ｂに結合する装置Ａ」という表現の適用範囲は、装置Ａの出力が装置Ｂの入力へ直接的に接続されている装置またはシステムのみに限定されてはならない。前記表現は、Ａの出力とＢの入力の間に１つの経路が存在し、前記１つの経路は、他の装置または手段を含む経路であり得ることを意味する。
【００４８】
以上、本発明の原理について特定の装置に関連して説明したが、首記の請求の範囲に定義したように、この説明は、本発明の一例にすぎず、本発明の範囲を限定するものでないことを明確に理解されたい。
【符号の説明】
【００４９】
ＬＴ  ラインターミネータ
Ｅｉ  インラインエレメント
ＤＥＴ  決定手段
ＩＮＣＬ  包含手段
Ｇ  グラントメッセージ
Ｄ（Ｇ）  下り信号
ＦＯＲＷ  転送手段
ＣＴＲＬ−Ｅ  エレメントコントローラ
ＡＳ  増幅器／スプリッタ
ＮＴ  ネットワークターミネータ
【図１】
2010259106.tif 000003
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
複数のネットワークターミネータ（ＮＴ１、ＮＴ２、．．．、ＮＴｉ、．．．、ＮＴｎ）と共にツリー状ネットワークに含まれているラインターミネータ（ＬＴ）によって、前記ツリー状ネットワークにおけるインラインエレメント（Ｅｉ）の中央制御を実施する方法であって、
前記複数のネットワークターミネータ（ＮＴ１、ＮＴ２、．．．、ＮＴｉ、．．．、ＮＴｎ）のうちの少なくとも１つのネットワークターミネータが、前記インラインエレメント（Ｅｉ）を介して、専用ブランチおよび共通ブランチによって、それぞれ前記ラインターミネータ（ＬＴ）に結合されている方法であり、
前記ラインターミネータ（ＬＴ）によって、選択エレメント（ＳＥＬ−Ｅ）の識別子に従って第１の複数ビット（Ａ）を決定し、かつローカルで事前定義された機能（ＳＥＬ−Ｆ）の識別子に従って第２の複数ビット（Ｂ）を決定するステップであって、前記選択エレメント（ＳＥＬ−Ｅ）は、前記ローカルで事前定義された機能（ＳＥＬ−Ｆ）を実行するために、少なくとも前記インラインエレメント（Ｅｉ）を含んでいるインラインエレメントの集合の中から選択される、ステップと、
前記ラインターミネータ（ＬＴ）によって、前記第１の複数ビット（Ａ）および前記第２の複数ビット（Ｂ）を、グラントメッセージ（Ｇ）に包含するステップと、
前記ラインターミネータ（ＬＴ）によって、前記第２の複数ビット（Ｂ）に従った前記ローカルで事前定義された機能（ＳＥＬ−Ｆ）の実行を、前記第１の複数のビット（Ａ）に従った前記選択エレメント（ＳＥＬ−Ｅ）に課するために、前記グラントメッセージ（Ｇ）を、前記インラインエレメント（Ｅｉ）に転送するステップと、を含んでおり、
前記転送するステップが、
前記グラントメッセージを、下り信号（Ｄ（Ｇ））に包含するステップと、
前記ラインターミネータ（ＬＴ）によって、前記下り信号（Ｄ（Ｇ））を、前記複数のネットワークターミネータ（ＮＴ１、ＮＴ２、．．．、ＮＴｉ、．．．、ＮＴｎ）に、下り方向に分配するステップと、
前記ローカルで事前定義された機能（ＳＥＬ−Ｆ）の前記第２の複数ビット（Ｂ）に従った実行を、前記第１の複数ビット（Ａ）に従った前記選択エレメント（ＳＥＬ−Ｅ）に課するために、前記下り信号（Ｄ（Ｇ））の中から前記グラントメッセージ（Ｇ）を捕捉し、前記グラントメッセージ（Ｇ）を、前記インラインエレメント（Ｅｉ）に関連付けられた少なくとも１つのエレメントコントローラ（ＣＴＲＬ−Ｅ）に転送するステップと、を含んでいることを特徴とする方法。
【請求項２】
前記決定するステップが、ネットワークターミネータ識別子とブランチ識別子の任意の１つを、前記第１の複数ビット（Ａ）に包含するステップを含んでおり、
前記ネットワークターミネータ識別子が、前記複数のネットワークターミネータの１つを識別し、
前記ブランチ識別子が、前記ツリー状ネットワークの少なくとも一部分を識別することを特徴とする請求項１に記載のインラインエレメント（Ｅｉ）の中央制御を実施する方法。
【請求項３】
ツリー状ネットワークにおける複数のインラインエレメント（Ｅｉ）の中央制御を実施するラインターミネータ（ＬＴ）であって、
前記ツリー状ネットワークが、前記複数のインラインエレメント（Ｅｉ）を介して、専用ブランチおよび共通ブランチによって、それぞれ前記ラインターミネータ（ＬＴ）に結合された複数のネットワークターミネータ（ＮＴ１、ＮＴ２、．．．、ＮＴｉ、．．．、ＮＴｎ）を含むラインターミネータであり、
選択エレメント（ＳＥＬ−Ｅ）の識別子に従って第１の複数ビット（Ａ）を決定し、かつローカルで事前定義された機能（ＳＥＬ−Ｆ）の識別子に従って第２の複数ビット（Ｂ）を決定する決定手段（ＤＥＴ）であって、前記選択エレメント（ＳＥＬ−Ｅ）は、前記ローカルで事前定義された機能（ＳＥＬ−Ｆ）を実行するために、前記複数のインラインエレメント（Ｅｉ）の中から選択される、手段（ＤＥＴ）と、
前記第１の複数ビット（Ａ）および前記第２の複数ビット（Ｂ）を、グラントメッセージ（Ｇ）に包含するように、前記決定手段（ＤＥＴ）に結合された包含手段（ＩＮＣＬ）と、
前記ローカルで事前定義された機能（ＳＥＬ−Ｆ）の前記第２の複数ビット（Ｂ）に従った実行を、前記第１の複数ビット（Ａ）に従った前記選択エレメント（ＳＥＬ−Ｅ）に課するために、前記グラントメッセージ（Ｇ）を、前記選択エレメント（Ｅｉ）に転送するように、前記包含手段（ＩＮＣＬ）に結合された転送手段（ＦＯＲＷ）と、
を含んでおり、
前記転送手段（ＦＯＲＷ）が、前記下り信号（Ｄ（Ｇ））内の前記グラントメッセージ（Ｇ）をカプセル化し、下り信号（Ｄ（Ｇ））からの前記グラントメッセージ（Ｇ）の取込みを可能にするために、前記下り信号（Ｄ（Ｇ））を、前記複数のネットワークターミネータ（ＮＴ１、ＮＴ２、．．．、ＮＴｉ、．．．、ＮＴｎ）に分配する、カプセル化手段（ＥＮＣ）を含んでいることを特徴とするラインターミネータ（ＬＴ）。
【請求項４】
ラインターミネータ（ＬＴ）の中央制御の下で、ローカルで事前定義された機能の実行を、選択エレメント（ＳＥＬ−Ｅ）に課するために、ツリー状ネットワークにおけるインラインエレメント（Ｅｉ）の集合の中の前記選択エレメント（ＳＥＬ−Ｅ）に関連付けられた、エレメントコントローラ（ＣＴＲＬ−Ｅ）であって、
前記ラインターミネータ（ＬＴ）が、前記選択エレメント（ＳＥＬ−Ｅ）を含んでいる前記インラインエレメント（Ｅｉ）の集合を介して、共通ブランチおよび専用ブランチによって、それぞれ複数のネットワークターミネータ（ＮＴ１、ＮＴ２、．．．、ＮＴｉ、．．．、ＮＴｎ）に結合されているエレメントコントローラ（ＣＴＲＬ−Ｅ）であり、
前記エレメントコントローラ（ＣＴＲＬ−Ｅ）が、前記ラインターミネータ（ＬＴ）に下り方向で結合されており、前記ラインターミネータ（ＬＴ）によって下り信号Ｄ（Ｇ）内で伝送されたグラントメッセージ（Ｇ）を受け取るために、前記エレメントコントローラ（ＣＴＲＬ−Ｅ）の入力に結合された認識手段（ＲＥＣＯ）を含んでおり、
前記グラントメッセージ（Ｇ）が、前記選択エレメント（ＳＥＬ−Ｅ）の識別子に従って前記ラインターミネータ（ＬＴ）によって決定される第１の複数ビット（Ａ）と、前記選択エレメント（ＳＥＬ−Ｅ）のローカルで事前定義された機能（ＳＥＬ−Ｆ）の識別子に従って決定される第２の複数ビット（Ｂ）とを含んでおり、
前記認識手段（ＲＥＣＯ）が、前記ローカルで事前定義された機能（ＳＥＬ−Ｆ）の実行を、前記選択されたエレメント（Ｅｉ）に課するために、前記グラントメッセージ（Ｇ）における前記第１の複数ビット（Ａ）および前記第２の複数ビット（Ｂ）を認識し、その認識に際して、選択エレメント（Ｅｉ）に関する制御信号（ＣＴＲＬ（Ｅｉ（ＳＥＬ−Ｆ））を生成するために、含まれていることを特徴とするエレメントコントローラ（ＣＴＲＬ−Ｅ）。
【請求項５】
前記選択エレメント（ＳＥＬ−Ｅ）が、前記複数のネットワークターミネータの１つによって伝送される上り伝送信号を増幅する切替可能な増幅器であることを特徴とする請求項４に記載のエレメントコントローラ（ＣＴＲＬ−Ｅ）。
【請求項６】
前記選択エレメント（ＳＥＬ−Ｅ）が、上り伝送信号を受信するために、前記共通ブランチ内で、前記ラインターミネータ（ＬＴ）に結合されたバーストモード受信機（ＢＭＲＸ）であることを特徴とする請求項４に記載のエレメントコントローラ（ＣＴＲＬ−Ｅ）。
【請求項７】
請求項３に記載のラインターミネータ（ＬＴ）と、請求項４から６のいずれか一項に記載のエレメントコントローラ（ＣＴＲＬ−Ｅ）の任意の１つを含んでいるツリー状ネットワーク。
【外国語明細書】
2010259106000001.pdf